(57)【要約】【課題】鉄骨階段を形成する部材の部材間接合に溶接を用いることなくこれらを連結可能とでき、部材形成の作業の自由度を向上させることができる。【解決手段】本発明に係る鉄骨階段１は、一対の側桁部１５ａ，１５ｂと、その一対の側桁部１５ａ，１５ｂ間に設けられる複数の段板部材７Ａと、その段板部材７Ａを支持する支持補強金物９とを備え、その支持補強金物９は、一方の側桁部１５ａから他方の側桁部１５ｂまで延在して橋渡し状に形成され、段板部材７Ａは、支持補強金物９にボルト締結されている。【選択図】図２
2014177762.tif 000002
【特許請求の範囲】
【請求項１】
一対の桁と、該一対の桁間に設けられる１又は複数の踏板部材と、該踏板部材を支持する支持部材とを備え、
該支持部材は、一方の桁から他方の桁まで延在して橋渡し状に形成され、
前記踏板部材は、前記支持部材にボルト締結又はビス止めされていることを特徴とする鉄骨階段。
【請求項２】
踊り場部を有し、
前記踊り場部は、複数の前記踏板部材をその踏面部の上端面を同じ高さに揃えた状態に敷き並べて形成されていることを特徴とする請求項１記載の鉄骨階段。
【請求項３】
前記各踏板部材は隣り合う前記踏板部材に連結されると共に、少なくとも一の前記踏板部材は、前記一対の桁にも連結されていることを特徴とする請求項２記載の鉄骨階段。
【請求項４】
前記踏板部材を段状に連続させた階段部を備え、
当該階段部を形成する前記踏板部材は略Ｌ字状であり、水平状の踏面部と立ち上り壁状の蹴込板部とをそれぞれ有していることを特徴とする請求項１〜３のいずれか一項記載の鉄骨階段。
【請求項５】
前記支持部材は、前記踏板部材の踏面部の裏面に面当接する平板部と、前記平板部の長手方向に亘って設けられた１または複数のリブ部と、を有することを特徴とする請求項１〜４のいずれか一項記載の鉄骨階段。
【請求項６】
前記リブ部は、前記平面部のうち、前記踏板部材にボルト締結又はビス止めされた部位を避けて設けられ、且つ該部位を下方に露出させる下方開放状に設けられていることを特徴とする請求項５記載の鉄骨階段。
【請求項７】
前記支持部材と前記踏板部材とは表面処理鋼板の折り曲げ加工により形成されていることを特徴とする請求項１〜６のいずれか一項記載の鉄骨階段。
【発明の詳細な説明】
【技術分野】
【０００１】
本発明は、一対の桁間に設けられた踏板部材を備える鉄骨階段に関する。
【背景技術】
【０００２】
近年、鉄骨階段は、軽量であり、安価かつ短い工期で設置できることから、屋内、屋外を問わず、多くの建物に使用されている。例えば特許文献１には、傾斜して配設した２本の桁と、該桁に取り付けられ、１枚の鋼板を略Ｌ字状に折り曲げて形成した踏面及び蹴込板を有する段板部材と、を有する鉄骨階段であって、前記段板部材の踏面に加わる衝撃を緩和する第一の緩衝部材と、前記段板部材から前記桁へ伝わる衝撃を緩和する第二の緩衝部材と、前記段板部材の幅とほぼ同じ長さの１枚の鋼板で形成され、前記踏面の下面の奥行方向の略中央部と前記蹴込板の裏面の高さ方向の略中央部を幅方向全域に渡って溶接することによって橋渡し状に連結する段板補強部材と、を有して外部階段として用いる構成が開示されている。
【先行技術文献】
【特許文献】
【０００３】
【特許文献１】特開２００５−２１３８９６号公報
【発明の概要】
【発明が解決しようとする課題】
【０００４】
この種の鉄骨階段を外部階段として用いる場合、適切な防錆処理を施さなければ錆が発生し、強度低下を招いてしまうという問題がある。かかる問題に対し、上記特許文献１の構成では、段板補強部材が段板部材に溶接される構成を採用しているため、当該溶接作業後でなければメッキ処理等の防錆処理を施すことができず、部材形成の作業の自由度を損なうという問題がある。
【０００５】
そこで、本発明は、溶接を用いることなく部材同士を連結可能とでき、防錆処理等の仕上げ処理を考慮しなければならない部材を連結する際の作業の自由度を向上させることができる鉄骨階段を提供することを目的とする。
【課題を解決するための手段】
【０００６】
上記課題を解決すべく、本発明に係る鉄骨階段は、一対の桁と、その一対の桁間に設けられる１又は複数の踏板部材と、その踏板部材を支持する支持部材とを備え、その支持部材は、一方の桁から他方の桁まで延在して橋渡し状に形成され、踏板部材は、支持部材にボルト締結又はビス止めされていることを特徴とする。
【０００７】
本発明によれば、踏板部材と支持部材とはボルト締結又はビス止めにより固定されることとなる。その結果、これらの部材の連結に溶接は不要となり、部材を連結する際の作業の自由度を向上させることができる。また、踏板部材は支持部材に支持され、この支持部材は一方の桁から他方の桁まで延在して橋渡し状に形成されるので、この鉄骨階段を利用する人の踏圧に対する踏板部材の撓みも抑制されることとなる。また、踏圧等の荷重は支持部材が受けることとなるので、結果として踏板部材を薄化でき、全体として軽量化を図る上で有利である。
【０００８】
また、この鉄骨階段は、踊り場部を有し、この踊り場部は、複数の踏板部材をその踏面部の上端面を同じ高さに揃えた状態に敷き並べて形成されていると好適である。一枚に板部材ではなく、複数の踏板部材を敷き並べて踊り場部を形成するので、踊り場部を形成する部材を小型化でき、現場での搬送が容易となって作業性が向上する。
【０００９】
また、踊り場部を形成する各踏板部材は隣り合う踏板部材に連結されると共に、少なくとも一の踏板部材は、一対の桁にも連結されていると好適である。各踏板部材同士が互いに連結され、さらに、踏板部材が桁にも連結されるので、踏板部材の振動が抑えられ、消音性の向上に有効である。
【００１０】
また、この鉄骨階段は、踏板部材を段状に連続させた階段部を備え、その階段部を形成する踏板部材は略Ｌ字状であり、水平状の踏面部と立ち上り壁状の蹴込板部とをそれぞれ有していると好適である。階段部を形成する踏板部材には蹴込板部が設けられているため、踏面部の曲げ強度が向上する。更に、上下の踏面部間が蹴込板部により一部又は全部が覆われることとなり、鉄骨階段直下からの視線を遮ることができると共に、意匠性も向上するものとなる。
【００１１】
また、支持部材は、踏板部材の踏面部の裏面に面当接する平板部と、平板部の長手方向に亘って設けられた１または複数のリブ部と、を有すると好適である。リブ部を設けることで踏板部材を支持する平板部の曲げ強度が向上する。
【００１２】
このリブ部は、平面部のうち、踏板部材にボルト締結又はビス止めされた部位を避けて設けられ、且つその部位を下方に露出させる下方開放状に設けられていると好適である。踏板部材にボルト締結又はビス止めされた平面部の部位をリブ部が覆い隠してしまうことがなく、後にボルト等の緩みを締め直す等のメンテナンスを適宜に行うことができる。
【００１３】
支持部材と踏板部材とは表面処理鋼板の折り曲げ加工により形成されていると好適である。表面処理鋼板を用いて形成することで、後に防錆塗装を施す必要が無く、施工性の著しい向上を図ることができる。
【発明の効果】
【００１４】
本発明によれば、鉄骨階段を形成する部材同士の連結に溶接は不要となり、防錆処理等の仕上げ処理を考慮しなければならない部材を連結する際の作業の自由度を向上させることができる。
【図面の簡単な説明】
【００１５】
【図１】本発明の実施形態に係る鉄骨階段の平面図である。
【図２】図１のＩＩ−ＩＩ線に沿った断面図である。
【図３】図２のＩＩＩ−ＩＩＩ線に沿った断面図である。
【図４】図１のＩＶ−ＩＶ線に沿った断面図である。
【図５】図１のＶ−Ｖ線に沿った断面図である。
【発明を実施するための形態】
【００１６】
以下、図面を参照して本発明に係る鉄骨階段１の実施形態を説明する。本実施形態に係る鉄骨階段１は、３階建て以上の多層の階層を有する建物の屋外階段を想定しているが、２階建ての建物であっても良い。また、鉄骨階段１は、複数の階層を有する建物の一部、または全部の階層を連絡する階段構造であってもよい。なお、以下の説明では、１階と２階とを結ぶ階段構造を例に説明するが、同様の階段構造を用いて２階から３階、あるいはそれ以上の階層を連絡するようにしてもよい。
【００１７】
図１に示されるように、鉄骨階段１は、１階（下階）に連絡する下部階段部２と、２階（上階）に連絡する上部階段部３とを備え、更に、下部階段部２と上部階段部３とを連絡する踊り場部４を備えている。
【００１８】
下部階段部２、上部階段部３、及び踊り場部４は、支持補強金物（支持部材）９を介してササラ桁５に取り付けられた複数の踏板部材７Ａ，７Ｂ，７Ｃ，８を備えている。なお、複数の踏板部材７Ａ，７Ｂ，７Ｃ，８は、大きく分けて二種類の形状があり、以下の説明では、段差部分に用いられる踏板部材７Ａ，７Ｂ，７Ｃを「段板部材」と称し、平坦部分に用いられる踏板部材８を「平板部材」と称して両部材を区別する。
【００１９】
下部階段部２と上部階段部３とは、実質的に同様の構造からなるため、下部階段部２を説明して上部階段部３の説明は省略する。図２、及び図３に示されるように、下部階段部２は、ササラ桁５に固定された下地補強金物９を備えており、段板部材７Ａは、下地補強金物９に固定されている。
【００２０】
下地補強金物９は、表面処理鋼板の折り曲げ加工により形成されたＣ形鋼管（「リップ溝形鋼」ともいう）である。下地補強金物９のウェブ部分、つまり、溝Ｈに対向する背の部分が段板部材７Ａに重なる平板部９ａであり、平板部９ａに屈曲して連なる一対のフランジ部分がリブ部９ｂである。リブ部９ｂは、平板部９ａの長手方向に亘って設けられているので、平板部９ａの曲げ強度を向上できる。また、リブ部９ｂの端部は屈曲され、溝Ｈに臨むリップ部９ｃが形成されている。なお、本実施形態では、一対（複数）のリブ部９ｂが設けられた態様を例示するが、単体のリブ部９ｂとすることもできる。
【００２１】
段板部材７Ａは、長尺な表面処理鋼板の折り曲げ加工により、断面が略Ｌ字状となるように形成されている。折り曲げ部位を挟んで一方側の辺部は設置時に立ち上り壁状となる蹴込板部７ａであり、他方側の辺部は設置時に水平状となる踏面部７ｂである。なお、蹴込板部７ａの端部には、内側に鋭角状に折り曲げられて防振ゴム当接片７ｃが設けられている。また、踏面部７ｂの端部には、外側に鈍角状に折り曲げられて防振ゴム受け片７ｄが形成されている。
【００２２】
段板部材７Ａ、及び下地補強金物９は、通常、工場等で組みつけられて一体化され、現場まで搬送される。段板部材７Ａの踏面部７ｂには、裏面から下地補強金物９の平板部９ａが重ねられ、皿子ねじ１０ａ及びナット１０ｂによって締結（ボルト締結）されている。なお、本実施形態では、ボルト締結によって下地補強金物９と段板部材７Ａとを一体化しているが、ビス止めすることで一体化する態様であっても良い。以下の説明では、説明の便宜上、下地補強金物９と段板部材７Ａとが一体化された構造体を段板ユニット１１Ａと称する。
【００２３】
段板ユニット１１Ａの下地補強金物９と段板部材７Ａとはボルト締結されているため、溶接が不要である。したがって、下地補強金物９や段板部材７Ａにおける溶接に起因した処理表面の破損その他の不具合を本質的に防止できる。その結果、部材を組み付けて鉄骨階段１を構築した後で、防錆処理等の追加の表面処理を極力低減でき、作業の自由度を向上できる。
【００２４】
鉄骨階段１は、ササラ桁５を構築した後、地上面である１階（下層階）側から順番に段板ユニット１１Ａを組み付けていく。ササラ桁５は、下部階段部２となる領域において階段勾配に対応して傾斜した一対の側桁部（一対の桁）１５ａ，１５ｂを有する。
【００２５】
側桁部１５ａ，１５ｂの対向面には、段板ユニット１１Ａの端部を支持する段板受け１５ｃが固定されている。段板受け１５ｃは山形鋼であり、一方の辺部１５ｄは段板ユニット１１Ａを下方から支えるように上向きに配置され、他方の辺部１５ｅはササラ桁５に溶接されている。また、段板受け１５ｃは、段状に連続して設置される複数の段板ユニット１１Ａに対応して複数が固定されている。
【００２６】
第１段の段板ユニット１１Ａは、蹴込板部７ａが上り下りする方向の下側を向くように配置される。踏面部７ｂの裏面には下地補強金物９が固定されており、下地補強金物９は、溝Ｈとなる開口が下を向き、その状態のまま、両端部が側桁部１５ａ，１５ｂの段板受け１５ｃに載置される。下地補強金物９と段板受け１５ｃとは、消音のための防振ゴム１６Ａを挟み込んだ状態でボルト、及びナットによって締結（以下、「ボルト締結」と称する）されている。
【００２７】
第１段の段板ユニット１１Ａの側桁部１５ａ，１５ｂへの取り付けが完了すると、段状に連続する第２段の段板ユニット１１Ａを側桁部１５ａ，１５ｂに取り付ける。第２段の段板ユニット１１Ａを設置する際には、蹴込板部７ａの端部に設けられた防振ゴム当接片７ｃを第１段の段板ユニット１１Ａの踏面部７ｂの防振ゴム受け片７ｄに重なるように配置する。第２段の段板ユニット１１Ａの防振ゴム当接片７ｃと第１段の段板ユニット１１Ａの防振ゴム受け片７ｄとは、板状の防振ゴム１６Ｂを挟み込んだ状態でボルト締結される。また、第２段の段板ユニット１１Ａの下地補強金物９は、第１段の段板ユニット１１Ａの下地補強金物９と同様に、側桁部１５ａ，１５ｂの段板受け１５ｃにボルト締結される。
【００２８】
所定の枚数の段板ユニット１１Ａの設置が完了すると、下部階段部２の下地となる構成が完成する。下部階段部２の下地には、後工程において踏面部７ｂの形状に倣って加工した化粧板１７が設置され、目地やその他の隙間にはモルタル１８が充填される。化粧板１７には、例えば、軽量気泡コンクリート（ＡＬＣ）パネルを利用できる。
【００２９】
なお、ササラ桁５には、段板受け１５ｃよりも下側となる位置に板状の軒天部材１９を支持する複数の軒天支持金物２０が溶接されている。軒天部材１９は、下部階段部２、上部階段部３、及び踊り場部４の裏面を目隠しするために設置されるものであり、例えば、ボルト締結により、軒天支持金物２０に着脱自在に固定される。
【００３０】
以上の施工手順を踏まえて完成した下部階段部２は、一対の側桁部１５ａ，１５ｂと、一対の側桁部１５ａ，１５ｂ間に設けられる複数の段板部材７Ａと、段板部材７Ａを支持する下地補強金物９とを備えている。さらに、下地補強金物９は、一方の側桁部１５ａから他方の側桁部１５ｂまで延在して橋渡し状に形成されており、段板部材７Ａは、下地補強金物９にボルト締結されている。
【００３１】
本実施形態では、段板部材７Ａは下地補強金物９にボルト締結されているので互いの連結に溶接は不要となり、段板部材７Ａと下地補強金物９とを連結する際の作業の自由度を向上させることができる。また、段板部材７Ａは下地補強金物９に支持されており、下地補強金物９は一方の側桁部１５ａから他方の側桁部１５ｂまで延在して橋渡し状に形成されているので、下部階段部２を上り下りする人の踏圧に対する段板部材７Ａの撓みも抑制される。また、踏圧等の荷重は下地補強金物９が受けることとなるので、段板部材７Ａを例えば、２〜３ｍｍ程度にまで薄化でき、全体として軽量化を図る上で有利である。
【００３２】
また、下部階段部２の各段を形成する段板部材７Ａには蹴込板部７ａが設けられているので、蹴込板部７ａが設けられていない場合に比べて踏面部７ｂの曲げ強度は向上する。更に、上下の踏面部７ｂ間が蹴込板部７ａにより一部又は全部が覆われる。従って、軒天部材１９を外したとしても、下部階段部２の直下からの視線を遮ることができると共に、意匠性も向上するものとなる。
【００３３】
また、平板部９ａは、皿子ねじ１０ａとナット１０ｂとのボルト締結によって段板部材７Ａの踏面部７ｂに固定されている。つまり、ナット１０ｂが皿子ねじ１０ａに螺合して平板部９ａに干渉する部位は、平板部９ａのうち、段板部材７Ａにボルト締結された部位（以下、「取付部分」と称する）に相当する。なお、平板部９ａが段板部材７Ａにビス止めされた変形例の場合には、ビスが平板部９ａに干渉する領域が平板部９ａにおける段板部材７Ａにビス止めされた部位（取付部分）に相当する。
【００３４】
一対のリブ部９ｂは、平板部９ａを挟むように設けられており、実質的に平板部９ａの取付部分を避けて設けられている。更に、一対のリブ部９ｂの端部にそれぞれ設けられた一対のリップ部９ｃ同士の間には、下地補強金物９の内部を視認可能な溝Ｈ（開口）が形成されている。下地補強金物９は、この溝Ｈが下方を向くように段板受け１５ｃに固定されているので、下地補強金物９のリブ部９ｂは、取付部分を下方に露出させる下方開放状になっている。その結果、リブ部９ｂが取付部分を覆い隠してしまうことがなく、軒天部材１９を外した後、皿子ねじ１０ａ、及びナット１０ｂの緩みを締め直す等のメンテナンスを適宜に行うことができる。
【００３５】
また、下地補強金物９と段板部材７Ａとは表面処理鋼板の折り曲げ可能によって形成されているので、後に防錆処理を施す必要が無く、施工性の著しい向上を図ることができる。
【００３６】
なお、下地補強金物９や段板部材７Ａを形成する表面処理鋼板の具体例としては、亜鉛メッキ鋼板やガルバリウム鋼板などが考えられるが、屋外で使用された場合に、防錆作用を奏する表面処理鋼板を広く利用できる。
【００３７】
次に、図１、図４、及び図５を参照して踊り場部４について説明する。踊り場部４は、段差を有して連絡する二つのエリアを有し、以下の説明では、下部階段部２に連絡する低い側を下段踊り場部２２と称し、上部階段部３に連絡する高い側を上段踊り場部２３と称する。なお、下段踊り場部２２、及び上段踊り場部２３は、下部階段部２と同一の構造、及び要素を備えており、この同一の構造、及び要素は、同一の符号を付して説明を省略する。
【００３８】
踊り場部４を形成する領域には、ササラ桁５の一部として、踊り場部４の外縁に沿って略コ字状に配置された外桁部２５が設けられている。具体的には、外桁部２５は、下部階段部２の側桁部１５ａにつながる下段外桁部２５ａと、下段外桁部２５ａから直角に折れ曲がり、下段踊り場部２２と上段踊り場部２３との段差に応じて上下にずれた板面を有する中段外桁部２５ｂと、中段外桁部２５ｂから直角に折れ曲がり、上部階段部３の側桁部１５ａにつながる上段外桁部２５ｃとを備えている。
【００３９】
また、踊り場部４を形成する領域には、外桁部２５に対向するように内桁部２６が設けられている。具体的に説明すると、内桁部２６は、下段外桁部２５ａに対向して配置された下段内桁部２６ａと、上段外桁部２５ｃに対向して配置された上段内桁部２６ｃと、中段外桁部２５ｂの上段踊り場部２３の部位に対向して配置された中段内桁部２６ｂとを有する。
【００４０】
下段踊り場部２２は、下部階段部２に連絡する段板ユニット１１Ｂと、平板部材８、及び下地補強金物９を備えた複数の平板ユニット１１Ｃとを備えている。また、段板ユニット１１Ｂの段板部材７Ｂ、及び複数の平板ユニット１１Ｃの各平板部材８は、それらの踏面部７ｂ，８ｂの上端面Ｆを同じ高さに揃えた状態に敷き並べられている。
【００４１】
段板部材７Ｂは表面処理鋼板の折り曲げ加工により形成され、蹴込板部７ａと踏面部７ｂとを有している。なお、段板部材７Ｂを下部階段部７Ａの段板部材７Ａと比較した場合、踏面部７ｂの端部には、防振ゴム受け片７ｄの代わりにフランジ片７ｅが設けられている。フランジ片７ｅは、踏面部７ｂの端部を内側に直角に折り曲げることで形成される。
【００４２】
平板部材８は、表面処理鋼板の折り曲げ加工により形成された略コ字状の溝形鋼であり、ウェブ部分の踏面部８ｂと、フランジ片８ｃとを有する。フランジ片８ｃは、隣接する段板部材７Ｂや平板部材８のフランジ片７ｅ，８ｃに当接し、ボルト締結される。
【００４３】
段板ユニット１１Ｂ、及び平板ユニット１１Ｃの下地補強金物９は、一対の桁に相当する下段外桁部２５ａから下段内桁部２６ａまで延在して橋渡し状に形成されており、段板部材７Ｂ、及び平板部材８は下地補強金物９にボルト締結されている。また、各下地補強金物９のリップ部９ｃは、段板受け１５ｃの上側の辺部１５ｄに防振ゴム１６Ａを挟み込んだ状態で載置され、ボルト締結されている。
【００４４】
なお、下段踊り場部２２の下地補強金物９は、下部階段部２の下地補強金物９と同様に、一対のリブ部９ｂが実質的に平板部９ａの取付部分を避けて設けられており、更に取付部分を下方に露出させる下方開放状の形態になっている。その結果、リブ部９ｂが取付部分を覆い隠してしまうことがなく、軒天部材１９を外した後、ボルト等の緩みを締め直すなどのメンテナンスを適宜に行うことができる。
【００４５】
また、複数の平板ユニット１１Ｃのうち、下部階段部２から見て最奥の平板ユニット１１Ｃの平板部材８は、奥側のフランジ片８ｃが更に折り曲げられ、リップ部８ｄが設けられている。リップ部８ｄは、ササラ桁５の中段外桁部２５ｂに溶接された段板受け１５ｃにボルト締結されている。つまり、平板部材８は、隣り合う他の平板部材８に連結されると共に、中段外桁部２５ｂを介して下段外桁部２５ａ、及び下段内桁部２６ａ（一対の桁）にも連結されている。その結果、平板部材８の振動が抑えられ、消音性の向上に有効である。
【００４６】
なお、下段踊り場部２２の場合、平板部材８は、中段外桁部２５ｂを介して間接的に下段外桁部２５ａ、及び下段内桁部２６ａに連結されているが、平板部材８が直接的に下段外桁部２５ａ、及び下段内桁部２６ａに連結されていてもよい。また、下段踊り場部２２では、最奥の平板部材８のみが間接的に下段外桁部２５ａ、及び下段内桁部２６ａに連結されているが、下段踊り場部２２の段板ユニット１１Ｂの段板部材７Ｂ、及び複数の平板部材８の全てが直接的または間接的に下段外桁部２５ａ、及び下段内桁部２６ａに連結されていてもよい。
【００４７】
上段踊り場部２３は、下段踊り場部２２に連絡する段板ユニット１１Ｄと、複数の平板ユニット１１Ｃとを備えている。また、段板ユニット１１Ｄの段板部材７Ｃ、及び複数の平板ユニット１１Ｃの各平板部材８は、それらの踏面部７ｂ，８ｂの上端面Ｆを同じ高さに揃えた状態に敷き並べられている。なお、上段踊り場部２３における段板ユニット１１Ｄ、及び複数の平板ユニット１１Ｃの並び方向（並べる向き）は、下段踊り場部２２における段板ユニット１１Ｂ、及び複数の平板ユニット１１Ｃの並び方向に対して略９０°（直交）異なっている。
【００４８】
段板部材７Ｃは表面処理鋼板の折り曲げ加工により形成され、蹴込板部７ａと踏面部７ｂとを有しており、防振ゴム当接片７ｃの構造を除き、下段踊り場部２２の段板部材７Ｃと実質的に同一である。具体的には、上段踊り場部２３の段板部材７Ｃの防振ゴム当接片７ｆは、下段踊り場部２２の平板部材８のフランジ片８ｅに当接する折り曲げ角度にて形成されており、防振ゴム当接片７ｃとフランジ片８ｅとは、防振ゴム１６Ｂを挟み込んだ状態でボルト締結されている。
【００４９】
段板ユニット１１Ｄ、及び平板ユニット１１Ｃの下地補強金物９は、一対の桁に相当する中段外桁部２５ｂから中段内桁部２６ｂまで延在して橋渡し状に形成されており、段板部材７Ｃ、及び平板部材８は下地補強金物９にボルト締結されている。
【００５０】
なお、上段踊り場部２３の下地補強金物９は、一対のリブ部９ｂが実質的に平板部９ａの取付部分を避けて設けられており、更に取付部分を下方に露出させる下方開放状の形態になっている。その結果、リブ部９ｂが取付部分を覆い隠してしまうことがなく、軒天部材１９を外した後、ボルト等の緩みを締め直すなどのメンテナンスを適宜に行うことができる。
【００５１】
なお、段板ユニット１１Ｄの下地補強金物９の一対のリップ部９ｃのうち、一方は、中段外桁部２５ｂ、及び中段内桁部２６ｂの段板受け１５ｃにボルト締結され、他方は、上段内桁部２６ｃの段板受け１５ｃにボルト締結されている。
【００５２】
また、上段踊り場部２３の複数の平板部材８のうち、少なくとも一の平板部材８は、直接的、または間接的に中段外桁部２５ｂ、及び中段内桁部２６ｂに連結されている。その結果、平板部材８の振動が抑えられ、消音性の向上に有効である。
【符号の説明】
【００５３】
１…鉄骨階段、２…下部階段部、３…上部階段部、４…踊り場部、７Ａ，７Ｂ，７Ｃ…段板部材（踏板部材）、７ａ，８ｂ…踏面部、７ｂ…蹴込板部、８…平板部材（踏板部材）、９…支持補強金物（支持部材）、９ａ…平面部、９ｂ…リブ部、１０ａ…皿子ねじ、１０ｂ…ナット、１５ａ，１５ｂ…側桁部（桁）、２５ａ…下段外桁部（桁）、２５ｂ…中段外桁部（桁）、２６ａ…下段内桁部（桁）、２６ｂ…中段内桁部（桁）、Ｆ…踏面部の上端面。
【図１】
2014177762.tif 000003
【図２】
2014177762.tif 000004
【図３】
2014177762.tif 000005
【図４】
2014177762.tif 000006
【図５】
2014177762.tif 000007